(57)【特許請求の範囲】
【請求項１】
建物の上階及び下階の屋根が平屋根で、上階の外壁面が下階の外壁面よりも引き込まれた位置にあり、上階の外壁面の引き込みにより形成される領域が下階の屋上となり、その屋上から上階の平屋根に向かって斜め上方に延びる複数の傾斜フレームが相互に間隔をおいて配設され、各傾斜フレーム上に複数の太陽電池パネルが並べて配設され、前記太陽電池パネルが上階の平屋根上にも配設されていることを特徴とする太陽光発電装置付き住宅。
【請求項２】
請求項１記載の太陽光発電装置付き住宅において、前記傾斜フレーム上の太陽電池パネル群と上階の平屋根上の太陽電池パネル群とが連続していることを特徴とする太陽光発電装置付き住宅。
【請求項３】
請求項２記載の太陽光発電装置付き住宅において、前記傾斜フレーム上の太陽電池パネル群はそれらの表面で一様な斜面を構成し、その斜面の傾斜角度が１５度〜３５度の範囲に設定されていることを特徴とする太陽光発電装置付き住宅。
【請求項４】
請求項１〜３のいずれか一項に記載の太陽光発電装置付き住宅において、前記各傾斜フレームの下に下階の屋上を利用した通路があり、その通路を利用して各傾斜フレームの下を通り抜け可能に構成してあることを特徴とする太陽光発電装置付き住宅。
【発明の詳細な説明】
【０００１】
【発明の属する技術分野】
本発明は、平屋根の建物に太陽電池パネルを配設した太陽光発電装置付き住宅に関する。
【０００２】
【背景の技術】
近年の住宅は、高品質化に加えて大型化や高級化が進み、それに対応して、デザイン性のある外観や重厚感などを持たせることも重要な要素となっている。
【０００３】
また、一方では、エネルギーの有効利用の観点から、多数の太陽電池パネルを建物の屋根に装備した、いわゆる太陽光発電装置付き住宅も、最近特に注目を浴びている。
【０００４】
【発明が解決しようとする課題】
しかし、住宅の屋根に太陽電池パネルを装備する場合、傾斜のある屋根を持つ建物がその対象となることが多い。即ち、屋根が平屋根の建物では太陽電池パネルを装備するには好ましくない。なぜなら、太陽電池パネルに傾斜を付けておくことで、太陽光の入射角度との関係でより効率的に利用することができるからである。
【０００５】
また、屋根が平屋根の建物の場合、勾配屋根に比べて屋根の外観的な機能を充分に付加できないために、デザイン的な変化に乏しくなるきらいがある。
【０００６】
本発明の目的は、太陽電池パネルの配設構造に工夫を凝らすことで、平屋根を持つ建物の外観的なデザイン性の向上、並びに屋上空間の有効利用を図ることができるようにした太陽光発電装置付き住宅を提供することにある。
【０００７】
【課題を解決するための手段】
本発明に係る太陽光発電装置付き住宅を図面を参照して説明すると、建物１の上階１９及び下階２の屋根が平屋根で、上階１９の外壁面が下階２の外壁面よりも引き込まれた位置にあり、上階１９の外壁面の引き込みにより形成される領域が下階２の屋上３となり、その屋上３から上階１９の平屋根に向かって斜め上方に延びる複数の傾斜フレーム１３が相互に間隔をおいて配設され、かつ前記下階２の屋上３および上階１９の平屋根に固定され、各傾斜フレーム１３上に複数の太陽電池パネル１１が並べて配設されている構成とした。
【０００８】
【課題を解決するための手段】
本発明に係る太陽光発電装置付き住宅を図面を参照して説明すると、建物１の上階１９及び下階２の屋根が平屋根で、上階１９の外壁面が下階２の外壁面よりも引き込まれた位置にあり、上階１９の外壁面の引き込みにより形成される領域が下階２の屋上３となり、その屋上３から上階１９の平屋根に向かって斜め上方に延びる複数の傾斜フレーム１３が相互に間隔をおいて配設され、各傾斜フレーム１３上に複数の太陽電池パネル１１が並べて配設され、前記太陽電池パネル１１が上階１９の平屋根上にも配設されている構成とした。
【０００９】
また、太陽電池パネル１１が上階１９の平屋根上にも配設されているので、上階１９の平屋根上も有効利用することができる。
【００１０】
また、傾斜フレーム１３上の太陽電池パネル１１群と上階１９の平屋根上の太陽電池パネル１１群とが連続している構成とすることもできる。このようにすれば、あたかも平屋根に勾配屋根が連続しているかのような一つの大きな勾配屋根の形態を表現することができる。これにより、建物１の外観的なデザインに大きな変化を付けることができる。
【００１１】
また、傾斜フレーム１３上の太陽電池パネル１１群はそれらの表面で一様な斜面を構成し、その斜面の傾斜角度が１５度〜３５度の範囲に、好ましくは２０度〜３０度の範囲に設定された構成とすることが望ましい。このようにすれば、傾斜のある外観のみならず太陽光発電効率をさらに向上させることができる。
【００１２】
また、各傾斜フレーム１３の下に下階２の屋上３を利用した通路１７があり、その通路１７を利用して各傾斜フレーム１３の下を通り抜け可能に構成することもできる。このようにすれば、屋上３の有効利用、上階１９の利便性や通風性、開放感等を図ることができる。
【００１３】
【発明の実施の形態】
以下、本発明の実施の形態を図面に基づいて説明する。
図１は建物の書面外観図であり、図２はその屋上部分の斜視図、図３は太陽電池パネルの配置構造例を示す斜視図である。
【００１４】
これらの図に示す実施の形態は、本発明を屋根が平屋根となった地階付き３階建て住宅に適用した例である。この建物１は、上階である３階１９の屋根と、その下階である２階２の屋根の何れも平屋根であり、２階の平屋根が屋上３、４となっている。この屋上３をルーフバルコニーとして利用できるように、屋上３の周囲には手摺り５を設けている。１６は３階の窓、６は地階を示している。
【００１５】
建物１を正面から見て、その３階１９の正面側の壁面は、１階及び２階の正面側の壁面よりも奥行き方向に引き込まれた形態となっている。そして、その引き込まれた領域部分も屋上３として形成されている。
【００１６】
即ち、３階１９の外壁面が２階２の外壁面よりも引き込まれた位置にあり、３階１９の外壁面の引き込みにより形成される領域も２階２の屋上３となっている。そして、その屋上３から３階１９の平屋根に向かって斜め上方に延びる複数の傾斜フレーム１３が相互に間隔をおいて配設され、各傾斜フレーム１３上に複数の太陽電池パネル１１が並べて配設されている。各傾斜フレーム１３は、図２に示すように支柱１５によって支持されている。なお、これらの傾斜フレーム１３、支柱１５については、いわゆるパーゴラの架台をそのまま兼用して用いることもできる。
【００１７】
このようにすると、平屋根の屋上部分に傾斜した屋根のような、あたかも勾配屋根１０の形態となる多数の太陽電池パネル１１が配置される。これにより、平屋根を持つ建物１の外観的なデザイン性の向上、屋上空間の有効利用等を図ることができる構造となる。
【００１８】
この太陽電池パネル１１は、ここでは３階１９の平屋根上にも配設されている。また、傾斜フレーム１３上の太陽電池パネル１１群と上階１９の平屋根上の太陽電池パネル１１群とが連続する構成としている。これにより、あたかも平屋根に勾配屋根１０が連続しているかのような一つの大きな屋根の形態を表現する。
その結果、建物１の外観的なデザインに大きな変化を付けることが可能になる。
【００１９】
傾斜フレーム１３上の太陽電池パネル１１群は、それらの表面で図示のように一様な斜面を構成している。この斜面の傾斜角度αとしては、太陽の高度と、日本の緯度との相関性を考慮すると、１５度〜３５度の範囲に、好ましくは２０度〜３０度の範囲に設定された構成とすることが望ましい。勿論、この範囲は、住宅が建つ地域の緯度によっても相違する。このように配慮することで、傾斜のある外観のみならず太陽光発電効率をさらに向上させることができる。なお、３階の平屋根部分の太陽電池パネル１１群は、特に低緯度の地域に建てる住宅においてより効率的になる。
【００２０】
各傾斜フレーム１３の下には、２階２の屋上３を利用した通路１７があり、その通路１７を利用して各傾斜フレーム１３の下を通り抜け可能に構成している。
。この構成により、屋上３の有効利用、上階１９の利便性や通風性、開放感等を得ることができる。なお、一番外側の傾斜フレーム１３と支柱１５及び屋上３の表面とで囲まれた領域１４部分は開放しても良いし、必要ならば閉塞板を設けて閉じてもよい。
【００２１】
【発明の効果】
以上のように、本発明の太陽光発電装置付き住宅によれば、太陽電池パネルの配設構造に工夫を凝らすことで、屋上のある平屋根を持つ建物の外観的なデザイン性の向上、並びに屋上空間の有効利用等を図ることができる。
【図面の簡単な説明】
【図１】本発明の実施の形態に係る太陽光発電装置付き住宅の正面外観図
【図２】本発明の実施の形態に係る太陽光発電装置付き住宅の屋上部分の斜視図
【図３】本発明の実施の形態に係る太陽電池パネルの配設構造を示す斜視図
【符号の説明】
１  建物（住宅）
２  下階（２階）
３、４  屋上
５  手摺り
１０  勾配屋根
１１  太陽電池パネル
１３  傾斜フレーム
１４  領域
１５  支柱
１６  窓
１７  通路
１９  上階（３階）
【図１】
0004542213.tif 000002
【図２】
0004542213.tif 000003
【図３】
0004542213.tif 000004